(57)【要約】  記録されている光学的画像情報の表示を、同一視野からの観察中でも任意に変更することを可能とする表示媒体およびそれを用いた画像表示方法の提供。光学的画像情報が記録されている回折構造部と、光の反射と透過を電圧で制御する調光素子部と、前記調光素子部に接続された電力供給部と、を含むことを特徴とする表示媒体を提供する。
2016117336.tif 000002
【特許請求の範囲】
【請求項１】
光学的画像情報が記録されている回折構造部と、
光の反射と透過を電圧で制御する調光素子部と、
前記調光素子部に接続された電力供給部と、
を含むことを特徴とする表示媒体。
【請求項２】
複数の光学的画像情報が記録されている回折構造部と、
複数の調光素子部と、
少なくとも一の電力供給部と、
を含むことを特徴とする表示媒体。
【請求項３】
前記電力供給部を覆う隠蔽層をさらに含む請求項１または２に記載の表示媒体。
【請求項４】
印刷層をさらに備える請求項１〜３のいずれか一項に記載の表示媒体。
【請求項５】
さらに、外部信号受信部と処理チップとを含む請求項１〜４のいずれか一項に記載の表示媒体。
【請求項６】
光学的画像情報が記録されている回折構造部と、
調光素子部と、
前記調光素子部に電力を供給する電力供給部と、
を含むことを特徴とする表示媒体が、前記電力供給部から前記調光素子部への電圧の変化に伴い、前記回折構造部に予め記録された光学的画像情報を表示する方法。
【請求項７】
複数の光学的画像情報が記録されている回折構造部と、
複数の調光素子部と、
前記調光素子部に電力を供給する少なくとも一の電力供給部と、
を含むことを特徴とする表示媒体が、前記電力供給部から前記調光素子部への電圧の変化に伴い、前記回折構造部に予め記録された複数の光学的画像情報を表示する方法。
【請求項８】
複数の光学的画像情報が記録されている回折構造部と、
複数のパターン化された調光素子部と、
前記調光素子部に電力を供給する少なくとも一の電力供給部と、
外部信号受信部と、
処理チップと、
を含むことを特徴とする表示媒体を用いた画像表示方法であって、
前記複数のパターン化された調光素子部のパターンを選択する工程、
前記表示媒体外部から当該パターンのパターン信号を発信する工程、
前記パターン信号を前記外部信号受信部が受信して前記処理チップに送る工程、    
前記処理チップが該信号を処理して前記電力供給部から前記調光素子部にかけられる電圧を制御する工程、および
与えられた電圧に応じて前記調光素子部がパターン状態を変化させる工程を含む画像表示方法。
【請求項９】
請求項１〜５のいずれか一項に記載の表示媒体を貼付した物品。
【発明の詳細な説明】
【技術分野】
【０００１】
本発明は、光学的画像情報が記録されている回折構造部と、光の反射と透過を電圧で制御する調光素子部と、調光素子部に電力を供給する電力供給部とを備えた表示媒体およびそれを用いた画像の表示方法に関する。
【背景技術】
【０００２】
近年、物品（偽造防止対象物）に取り付ける事により一目で容易に真贋を判定する事が可能であり、取り扱いも容易である事から回折格子パターンが記録された回折構造物が偽造防止手段として広く使われている。このような偽造防止手段として採用される回折構造物としては、例えば、基材上に剥離性を持つ剥離層、回折格子が形成された回折構造形成層、金属光沢を持つ反射層、接着層を順次積層して回折構造物を転写箔化したものがある（例えば、特許文献１参照）。【０００３】
また、透明な回折格子として、反射層に透明金属蒸着薄膜や無機化合物の薄膜を形成する事により、反射層より下層に位置するものも、回折格子を通して目視にて観察出来るようにしたものもある（例えば、特許文献２参照）。【０００４】
しかし、これら従来用いられている回折構造物は、何れも金属光沢を持った蒸着薄膜や透明金属薄膜が決まったパターン状に形成されているか、または、全体に形成されているため、回折構造の視覚的な変化は、予め回折構造に記録された視角の変化によるパターンや色彩の変化だけであった。すなわち、回折構造による光学的な視覚効果である回折光パターンを得るために回折構造層に接した反射層が全面、またはパターン状に任意の形状で積層されているため、反射層の透過濃度や反射濃度については変化することなく一定であった。さらに、従来の透明金属薄膜からなる反射層では、より下層に位置する印刷などによる画像の視認性と回折光パターンの視認性とが各々反射光と透過光の関係からトレードオフの関係にあるため、視認性の両立は妥協が必要であった。【０００５】
他方、近年、エネルギー消費量の低減のため、遮光効果による断熱性の向上を目指した、調光ガラスの開発が進展している。調光ガラスは、光学的な特性を任意に制御できるようにガラス上に薄膜材料を組み合わせた調光ミラー素子を形成することで実現でき、特に薄膜材料が全て固体で形成できる場合には、ガラス上だけではなく、折り曲げることも可能なプラスチックフィルム上にも形成することが可能である。（例えば、特許文献３、非特許文献１等参照）これらの調光ミラー素子の用途としては、現状、自動車や建物の窓ガラスや、液晶ディスプレイなどの電子表示装置などに限られており、その他の用途には適用されていない。
【先行技術文献】
【特許文献】
【０００６】
【特許文献１】特開昭６１−１９０３６９号公報
【特許文献２】特公平１−５４７０９号公報
【特許文献３】特開２０１４−１１２１８３号公報
【非特許文献】
【０００７】
【非特許文献１】Adv. Mater. 2012, 24, OP122-OP126, S. Arakiら
【発明の概要】
【発明が解決しようとする課題】
【０００８】
本発明は、上記に鑑み、記録されている光学的画像情報の表示を、同一視野からの観察中でも任意に変更することを可能とする表示媒体およびそれを用いた画像表示方法の提供を目的とする。
【課題を解決するための手段】
【０００９】
本発明の表示媒体は、光学的画像情報が記録されている回折構造部と、
光の反射と透過を電圧で制御する調光素子部と、
前記調光素子部に接続された電力供給部と、
を含むことを特徴とする。【００１０】
本発明の一実施態様において、本発明の表示媒体は、複数の光学的画像情報が記録されている回折構造部と、
複数の調光素子部と、
少なくとも一の電力供給部と、
を含むことを特徴とする。【００１１】
さらに、本発明の他の実施態様において、本発明の表示媒体は、前記電力供給部を覆う隠蔽層をさらに含む。また本発明の他の実施態様において、本発明の表示媒体は、印刷層をさらに備える。本発明の他の実施態様において、本発明の表示媒体は、外部信号受信部と処理チップとをさらに含む。【００１２】
さらに本発明は、光学的画像情報が記録されている回折構造部と、
調光素子部と、
前記調光素子部に電力を供給する電力供給部と、
を含むことを特徴とする表示媒体が、前記電力供給部から前記調光素子部への電圧の変化に伴い、前記回折構造部に予め記録された光学的画像情報を表示する方法を提供する。【００１３】
また、本発明の一実施態様において、複数の光学的画像情報が記録されている回折構造部と、
複数の調光素子部と、
前記調光素子部に電力を供給する少なくとも一の電力供給部と、
を含むことを特徴とする表示媒体が、前記電力供給部から前記調光素子部への電圧の変化に伴い、前記回折構造部に予め記録された複数の光学的画像情報を表示する方法を提供する。【００１４】
本発明の他の実施態様において、複数の光学的画像情報が記録されている回折構造部と、
複数のパターン化された調光素子部と、
前記調光素子部に電力を供給する少なくとも一の電力供給部と、
外部信号受信部と、
処理チップと、
を含むことを特徴とする表示媒体を用いた画像表示方法であって、
前記複数のパターン化された調光素子部のパターンを選択する工程、
前記表示媒体外部から当該パターンのパターン信号を発信する工程、
前記パターン信号を前記外部信号受信部が受信して前記処理チップに送る工程、
前記処理チップが該信号を処理して前記電力供給部から前記調光素子部にかけられる電圧を制御する工程、および
与えられた電圧に応じて前記調光素子部がパターン状態を変化させる工程を含む画像表示方法を提供する。【００１５】
さらに、本発明は、上記いずれかの表示媒体を貼付した物品を提供する。
【発明の効果】
【００１６】
本発明は、光学的画像情報が記録されている回折構造部と、光の反射と透過を電圧で制御する調光素子部と、前記調光素子部に接続された電力供給部とを含むことにより、同一視野から視認できる画像を、電力供給部からの電圧の制御により任意に変更することができる表示媒体、および該表示媒体を用いた前記電力供給部から前記調光素子部への電圧の変化に伴い、前記回折構造部に予め記録された光学的画像情報を表示する方法、を提供することができる。詳細には、調光素子部の光の透過および反射を電圧で制御し、光を反射する場合（鏡面状態）では、調光素子部が回折構造部を透過した光を反射させ、該反射光により回折構造部に記録されていた光学的画像情報を表示することができる。【００１７】
また、本発明の他の実施態様では、複数の光学的画像情報が記録されている回折構造部と、複数の調光素子部と、少なくとも一の電力供給部と、を含む表示媒体、および該表示媒体を用いた前記回折構造部に予め記録された複数の光学的画像情報を表示する方法を提供することにより、同一視野から視認できる画像を、複数のパターンで任意に変更することができる表示媒体およびその表示方法を提供する。【００１８】
さらに、本発明の他の実施態様において、本発明の表示媒体は隠蔽層を含み、これによりアンテナ部等の一部の構成要素を隠蔽し、意匠性を向上させることができる。【００１９】
本発明の他の実施態様において、本発明の表示媒体は印刷層を設けることにより、電圧の制御により任意に変更される回折構造部の光学的画像情報の表示に加えて、意匠性および機能性を向上させる画像情報を付与することができる。【００２０】
また、本発明の他の実施態様では、本発明の表示媒体は、外部信号受信部および処理チップをさらに含むことにより、所望の表示状態に合わせて発信された外部信号を表示媒体の外部時信号受信部が受信して処理チップに送り、さらに該処理チップが信号を処理して電力供給部から調光素子部へ送られる電圧を制御し、所望の画像を表示することができる。【００２１】
さらに本発明の一実施態様では、本発明の表示媒体を貼付した物品を提供し、例えば、これらに限定されないが、認証、偽造防止、装飾、玩具および学習教材等の分野で利用することができる。
【図面の簡単な説明】
【００２２】
【図１】本発明の表示媒体１０の一実施態様の構成を表す概略図である。
【図２Ａ】本発明の表示媒体１０において、調光素子部１２が透明状態（１２ａ）である場合の平面図である。
【図２Ｂ】本発明の表示媒体１０において、調光素子部１２が透明状態（１２ａ）である場合を表す概略図である。
【図３Ａ】本発明の表示媒体１０において、調光素子部１２が鏡面状態（１２ｂ）である場合を表す平面図である。
【図３Ｂ】本発明の表示媒体１０において、調光素子部１２が鏡面状態（１２ｂ）である場合を表す概略図である。
【図４Ａ】本発明の表示媒体１０において、電力供給部１３が外部電力と接続するための端子である場合を表す概略図である。
【図４Ｂ】本発明の表示媒体１０において、電力供給部１３が外部電力と接続するための端子であり、外部電力１４と接続された場合を表す概略図である。
【図５】本発明の表示媒体１０において、電力供給部１３が、アンテナ部である場合を表す概略図である。
【図６】本発明の表示媒体１０が、外部信号を受ける外部信号受信部３１およびそれを処理する処理チップ３２をさらに有する構造を表す概略図である。
【図７】複数の調光素子部１２を有する本発明の表示媒体１０が、外部信号により該調光素子部のパターン状態を変化させることを示すフロー図である。
【図８Ａ】調光素子部１２に電圧をかける電極がマトリックス状に形成された構造を有する本発明の一実施態様を示す断面図である。
【図８Ｂ】調光素子部１２に電圧をかける電極がマトリックス状に形成された構造を有する本発明の一実施態様を示す平面図である。
【図９】接着層５１と支持体５２をさらに備える本発明の表示媒体１０を示す断面図である。
【図１０】カバー部材５３と支持体５２をさらに備える本発明の表示媒体１０を示す断面図である。
【図１１】電力供給部１３がアンテナ部であり、隠蔽層５４をさらに備える本発明の表示媒体１０である。
【図１２Ａ】調光素子部１２の下層に印刷層５５を備える本発明の表示媒体１０を示す断面図である。
【図１２Ｂ】調光素子部１２の下層に印刷層５５を備える本発明の表示媒体１０の調光素子部１２が透明状態である場合の平面図である。
【図１２Ｃ】調光素子部１２の下層に印刷層５５を備える本発明の表示媒体１０の調光素子部１２が鏡面状態である場合の平面図である。
【図１３Ａ】回折構造部１１の上層に印刷層５５を備える本発明の表示媒体１０を示す断面図である。
【図１３Ｂ】回折構造部１１の上層に印刷層を備える本発明の表示媒体１０の調光素子部１２が透明状態である場合の平面図である。
【図１３Ｃ】回折構造部１１の上層に印刷層を備える本発明の表示媒体１０の調光素子部１２が鏡面状態である場合の平面図である。
【図１４】回折構造部１１と調光素子部１２との間に印刷層５５を備える本発明の表示媒体１０を示す断面図である。
【図１５】実施例１に係る表示媒体１０の構造を表す図である。
【図１６】実施例２に係る表示媒体１０の構造を表す図である。
【図１７】実施例３に係る表示媒体１０の調光素子部が有する３つのパターンを示す図である。
【図１８】実施例３に係る表示媒体１０が調光素子部１２の状態に関する外部信号を受けた場合の、絵柄の見え方を示す図である。
【発明を実施するための形態】
【００２３】
以下、本発明の好適な実施形態を、図面を参照しながら詳細に説明する。なお、以下に示す実施形態は、本発明の単なる一例であって、当業者であれば、適宜設計変更可能である。
【００２４】
図１は、本発明の表示媒体１０の一実施態様の構成を表す概略図である。表示媒体１０は、回折構造部１１と調光素子部１２と電力供給部１３とを含む。
【００２５】
（回折構造部）
本発明の回折構造部１１は、後述する鏡面状態の調光素子部１２ｂの存在下、光学画像情報が記録されている回折構造部に光が入射することで回折光を発生し、この回折光が２Ｄまたは３Ｄによる立体視が可能な画像を表示する。回折構造部１１に記録される光学的画像情報は単数であっても、複数であってもよい。記録される光学的画像情報が複数ある場合、本発明の表示媒体は、同一視野からの観察中に視認できる画像を、後述する調光素子部１２の制御により任意に変更することができる。
【００２６】
本発明において「光学的画像情報」は、該回折構造部１１に光が入射することで発生した回折光により表示される２Ｄまたは３Ｄによる視認可能な画像情報である。詳細には、絵柄や文字、色の変化を含む視覚認識可能なパターンなどで構成される。
【００２７】
また、本発明において、「画像」とは視覚により認識できる情報をいい、イラスト等の絵画的画像のほか、文字、模様、色彩、形状を含む。さらに、本発明の画像は上記回折光により表示されたものに限られず、後述する印刷層に形成された画像および各構成要素の色彩も含む。
【００２８】
本発明の回折構造部１１は、当分野で知られている材料および形成方法により形成することができる。
【００２９】
本発明の回折構造部１１を形成する材料として、熱可塑性樹脂、熱硬化性樹脂、紫外線あるいは電子線硬化性樹脂等が使用できる。例えば、熱可塑性樹脂では、アクリル系樹脂、エポキシ系樹脂、セルロース系樹脂、ビニル系樹脂等が挙げられる。また、反応性水酸基を有するアクリルポリオールやポリエステルポリオール等にポリイソシアネートを架橋剤として添加して架橋させたウレタン樹脂、メラミン系樹脂、フェノール系樹脂等が使用できる。また、紫外線あるいは電子線硬化性樹脂としては、エポキシ（メタ）アクリル、ウレタン（メタ）アクリレート等が使用できる。これらの材料を主材料として、回折構造部１１は、グラビア印刷法やマイクログラビア法等、公知の塗布方法によって形成することができる。
【００３０】
また回折構造部１１への光学的画像情報の記録方法も、当分野でよく知られた方法を用いることができる。例えば、これらに限定されないが、該光学的画像情報は微細な凹凸構造である回折構造２０が回折構造部１１に含まれてもよく、また干渉性のよい光によって得られた像の回折光を感光材料に記録させたものを回折構造部１１に組み込んでもよい。
【００３１】
光学的画像情報が回折構造２０を用いて記録される場合、回折構造２０は、微細な凹凸構造であり、この微細凹凸構造を形成するためにレリーフ版が使用される。レリーフ版は、まず、電子線硬化型樹脂の表面に電子線を照射して所望のパターンで露光し、その後現像する事によってマスター版が作製され、続いて、このマスター版の表面に電気メッキ法で金属膜を形成してマスター版の凹凸パターンを複製することで、レリーフ版が作製される。そして、回折構造部１１にこのレリーフ版を熱圧着させるか、未硬化の硬化型樹脂にレリーフ版を密着させながら硬化する事で、微細な凹凸構造を持つ回折構造２０が形成される。
【００３２】
（調光素子部）
本発明の調光素子部１２は、電圧により透明状態（１２ａ）と鏡面状態（１２ｂ）とを切り替えることで、表示媒体１０の光の透過と反射を制御することができる。そのため、電圧により鏡面状態と透明状態とを切り替えることができるものであれば、その制御方法は限定されるものではないが、例えば、電気的にスイッチングするエレクトロクロミック型と、周囲のガスによってスイッチングするガスクロミック型とを用いることができる。利便性や安全性の面から、エレクトロミック型が好ましく、全層が液体や気体ではなく固体からなる、全固体エレクトロクロミック型調光ミラーがさらに好ましい。
【００３３】
エレクトロミック型調光ミラーは当分野で既知の構造であってもよく、例えば、封止層／調光ミラー層／導電層／封止層の順に積層したものを用いることができる。好ましくは、調光ミラー層／触媒層／電解質層／イオン蓄積層／導電層、の順に積層したもの、または、調光ミラー層／触媒層／バッファ層／電解質層／イオン蓄積層／導電層、の順に積層したものが利用可能である。
【００３４】
ガスクロミック型及びエレクトロクロミック型の調光ミラー層の材料としては、イットリウムやランタンなどの希土類金属や、希土類金属の水素化物とマグネシウムとの合金、マグネシウムと遷移金属との合金、マグネシウムとニッケルの合金などが知られているが、エレクトロクロミック型調光ミラーにおける調光素子の材料としては、マグネシウムとニッケルとの合金が好ましく使用できる。
【００３５】
また、触媒層の材料としては、パラジウムや白金など、電解質層の材料としては酸化タンタルや酸化ジルコニウムなど、イオン貯蔵層としては、酸化タングステンなど、透明導電膜としては、酸化インジウムや酸化錫、酸化亜鉛など、をそれぞれ使用することができる。また、いずれの薄膜も、真空蒸着法やスパッタリング法など、所望の厚みを得るための公知の方法が適用できるが、特にこれらの層構成や材料、作製方法に限定されるものではない。
【００３６】
本発明の調光素子部１２は、本発明の一実施態様において回折構造部１１と隣接していてもよく、また光の透過を妨げないものであれば、回折構造部１１との間に接着層等の透明な層（図示せず）を任意選択的に挿入してもよい。また、後述するように、印刷層５５を組み込んでもよい。
【００３７】
本発明の調光素子部１２は、調光素子部１２全体が単一の外部電圧により制御されてもよい。また、本発明の調光素子部１２がパターニングされた複数の部分から構成され、複数の外部電圧により制御されてもよい。
【００３８】
（電力供給部）
本発明の電力供給部１３は、調光素子部１２に接続され、電圧の変化に伴い、調光素子部１２の鏡面状態と透明状態とを制御することができる。
【００３９】
電力供給部１３は、調光素子部１２の光の透過状態を変化させるのに十分な電圧をかけることができるものであればよく、例えば、外部電力と接続するための端子、外部電磁波により交流電流を発生しうるアンテナ部、太陽電池、およびペーパー電池などを用いることができる。
【００４０】
電力供給部１３から調光素子部１２に電圧がかけられていない場合、調光素子部１２は透明状態であり（１２ａ）、光を透過する（図２Ａおよび図２Ｂ参照）。一方、電力供給部１３から調光素子部１２に電圧がかけられた場合、調光素子部１２は鏡面状態となり（１２ｂ）、回折構造部１１を透過した光を反射させ、該反射光により回折構造部１１に記録されていた光学的画像情報が表示される（図３Ａおよび３Ｂ参照）。
【００４１】
電力供給部１３が外部電力１４と接続するための端子である場合（図４Ａ）、調光素子部１２に接続された電力供給部の端子に外部電力１４が接続されると調光素子部１２に電圧がかかり、回折構造部１１に像が表示される（図４Ｂ）。
【００４２】
また、電力供給部１３がアンテナ部である場合、本発明の表示媒体１０に、電磁波または磁束を放出する機器に近づけると、非接触状態であっても調光素子部１２に電圧がかかり、回折構造部１１の像を表示することができる。該アンテナ部は、外部からの電磁波または磁束を受けて交流電流を発生させるように設計されたアンテナ２１と、アンテナ２１で発生した交流電流を整流して直流に変換し、さらに発生電圧を一定にするためのＩＣチップ２２とを含む（図５）。
【００４３】
アンテナ２１の材料としては、銅や銀、アルミなどの公知の導電性金属材料が使用可能であり、ＩＣチップ２２は整流機能と一定電圧保持機能を有し、且つ、薄型で小型のものであればよい。
【００４４】
アンテナ部の作製方法としては、例えば、アンテナ基盤層として、予め樹脂材料からなる層を形成してその樹脂層上に金属薄膜を形成し、次にその金属箔膜上に所望のアンテナ形状にマスク剤を塗布、乾燥させ、更にエッチング法を用いて不要な金属薄膜を溶解、除去し、最後にマスク剤を除去してアンテナ２１を作製し、これにＩＣチップ２２を接続、固定する。
【００４５】
また、別の方法としては、予め前記樹脂層上に、調光素子部１２とＩＣチップ２２とを接続した状態で積層し、次に、ＩＣチップ２２の別の端子に接続するように、導電性金属粒子を含む導電性インキをスクリーン印刷法やグラビア印刷法などで塗布してアンテナ２１を作製してもよい。
【００４６】
さらに、本願発明の一実施態様において、本発明の電力供給部１３は調光素子部１２に対して１組の端子を提供するものであってもよく、また、パターニングされて複数の部分から構成される調光素子部１２に対応した複数の端子を含んでもよい。
【００４７】
電力供給部１３が複数の端子を含む場合、本発明の表示媒体１０は、表示状態に対応したそれらの端子への電力供給を制御する外部信号を受ける外部信号受信部３１、およびそれを処理する処理チップ３２をさらに備えてもよい（図６参照）。このような構成により、例えば、図７で示すように、予めパターン化された複数の調光素子部１２のパターンを選択し（Ｐ１）、表示媒体１０外部から当該パターンのパターン信号を発信する（Ｐ２）。ついで、該パターン信号を表示媒体１０の外部信号受信部３１が受信して処理チップ３２に送り（Ｐ３）、さらに処理チップ３２が該信号を処理して電力供給部１３から調光素子部１２にかけられる電圧を制御し（Ｐ４）、与えられた電圧に応じて調光素子部１２はパターン状態を変化させることができる（Ｐ５）。
【００４８】
本発明の一実施態様において、パターン信号（Ｐ２）は暗号化されていてもよい。例えば、発信されたパターン信号（Ｐ２）が予め規定された正しいものである場合には、外部信号受信部３１からの信号を処理チップ３２が処理し、対応する電圧が調光素子部１２に提供されて、回折構造部１１に記録されていた光学的画像情報、および／または後述する印刷層５５に記載の画像が表示される。反対に、パターン信号（Ｐ２）が正しくない場合には、処理チップ３２は表示を変化させないか、本来表示されるべき正しい光学的画像情報以外の情報を表示することができる。また、その場合、調光素子部１２は単数であっても、パターニングされて複数の部分から構成されていてもよい。
【００４９】
これにより、暗号を知らない者に、回折構造部１１に記録されていた光学的画像情報、および／または後述する印刷層５５に記載の画像が表示され、記録された光学的画像情報を読み取られることを、抑止できる。このような不正な読み取りの抑止は、個人情報等の秘匿すべき情報を特定の者に送付する表示体として好ましい形態である。
【００５０】
図８は、調光素子部１２に電圧をかける電極がマトリックス状に形成された構造を有する本発明の一実施態様を示す断面図（図８Ａ）および平面図（図８Ｂ）である。本事例では上層の電極４１が調光素子部１２の機能を併せ持ち、ライン状にほぼ全面を覆っている。一方透明導電膜である下層の電極４２は上層の電極４１と異なる向きにライン状に配置され、その結果、これらの電極はマトリックス状に形成される。図には示していないが、処理チップ３２による制御により、ライン状にマトリックス一個一個の透明状態と鏡面状態を任意に制御することが可能となる。本発明の他の実施態様では、このマトリックスを微細化し、各々のマトリックスに個別のＯＮ／ＯＦＦ制御用素子を備えることで、鏡面状態と透明状態からなる任意の高精細なパターンを形成することができる。
【００５１】
（その他の構成要素）
本発明の表示媒体１０は、上記構成および機能を妨げるものでない限り、任意の構成要素を備えてもよい。例えば後述する構成要素を備えてもよいが、これらに限られないことは当業者に理解しうるものである。
【００５２】
（接着部材）
接着部材は、本発明の表示媒体１０を基材に貼付するために用いられる。接着部材は表示媒体１０の最下層に接着層５１として形成されてもよく（図９参照）、また表示媒体１０を覆い、基材に貼付する粘着性の透明なカバー部材５３であってもよい（図１０参照）。接着部材には当分野で公知の材料を用いることができ、被貼付物によっては、感圧タイプや、感熱タイプの接着剤も使用することができる。
【００５３】
（支持体）
支持体５２は、本発明の表示媒体１０が上記接着部材を有する場合に、接着面を保護する離型紙、または離型フィルムとして使用されるものである。支持体５２に用いられる材料としては、上質紙やコート紙、不織布などに離型材料を塗布した離型紙や、塩化ビニル樹脂やポリエステルテレフタレート樹脂（通称ＰＥＴ）、ポリエチレン樹脂などをフィルム化し、これに離型層を設けた離型フィルムなどが利用可能である。
【００５４】
（隠蔽層）
隠蔽層５４は、アンテナ部に設けられているアンテナ２１やＩＣチップ２２を隠蔽して意匠性を向上させることを目的とした層であり（図１１参照）、アンテナ部等の隠蔽層５４と接触している他層との層間密着性と隠蔽性とが両立できれば、公知の材料が使用できる。例えば、市販の印刷用白色インキや隠蔽用銀インキなどが使用可能である。
【００５５】
（印刷層）
印刷層５５は文字やイラスト、模様など、目視にてその形状を視認するための層である。印刷層５５は装飾性および／または機能性を考慮して、表示媒体１０の任意の位置に形成することができる。表示媒体１０の積層構造を、図１２Ａ、図１３Ａおよび図１４に表す。これらの図は本願発明の積層状態を模式的に表したものであって、印刷層５５が全面に作成されていることを表すものではない。印刷層５５は、光透過性等を考慮して、回折構造部１１および／または調光素子部１２の一部を覆うように形成されてもよい。
【００５６】
例えば、調光素子部１２の下層に形成した場合には、該印刷層の模様は、透明状態では視認可能であるが（図１２Ｂ参照）、鏡面状態では覆い隠され、全く異なる外観を提供することとなる（図１２Ｃ参照）。また、回折構造部１１の上部または回折構造部１１と調光素子部１２との間に形成した場合には、調光素子部１２の状況に関わらず、模様等を視認することができる（図１３Ａ〜１３Ｃおよび図１４参照）。印刷層５５を、回折構造部１１の上部または回折構造部１１と調光素子部１２との間に形成する場合には、光の透過性を妨げない材料で形成することが好ましい。また印刷層５５は、層形成材料を用いず、回折構造部１１や調光素子部１２に直接描写してもよい。
【００５７】
印刷層５５には、目視での視認性が良好であり、且つ、調光素子部１２や回折構造部１１等の直接接する層との密着性が良好となる公知の材料や市販の印刷用インキが使用可能であり、形成方法も、凸版印刷法やグラビア印刷法、オフセット印刷法、スクリーン印刷法など、公知の印刷方法により形成することができる。
【００５８】
（脆性部）
脆性部（図示せず）は、基材に貼付した本発明の表示媒体１０を、基材から物理的または化学的方法により剥離する際に、容易に損傷し、表示媒体１０の張替えを不可能にする部分である。例えば、表示媒体１０の樹脂層の一部分に厚みが極端に薄い部分を設けたり、伸縮性の高い柔軟性を持った柔軟樹脂層を部分的に設けたり、部分的に破断した箇所を設けたりすることにより、本発明の表示媒体１０の少なくとも一部が物理的に脆くなるように作製することができる。また、表示媒体１０を構成する少なくとも一の層を、接着層を溶解しない任意の有機溶媒で容易に溶解する材料で形成することにより、化学的に損傷しやすい層を設けることができる。
【００５９】
脆性部は、本発明のいずれの実施態様のいずれの層または部分にも設けることができる。例えば、図１２に記載の表示媒体において、回折構造部１１と調光素子部１２との間、または調光素子部１２と印刷層５５との間に脆性部を設けてもよい。また、脆性部は損傷した際にパターンが生じるように、予めパターニングされていてもよい。
【００６０】
（好ましい実施態様）
本発明の表示媒体は、後述する実施態様を含む。このような構造を有することにより、偽造防止、装飾、玩具、教材等の用途に用いることができる。
【００６１】
本発明の一実施態様において、本発明の表示媒体は、回折構造部と調光素子部と電力供給部とを含む。
【００６２】
本発明の一実施態様において、本発明の表示媒体は、回折構造部とエレクトロクロミック型調光ミラーである調光素子部と電力供給部とを含む。
【００６３】
本発明の一実施態様において、本発明の表示媒体は、回折構造部、調光素子部、および外部電力と接続するための端子である電力供給部を含む。また、本発明の他の実施態様において、本発明の表示媒体は、回折構造部、調光素子部、およびアンテナ部である電力供給部を含む。さらに、本発明の他の実施態様において、本発明の表示媒体は、回折構造部、調光素子部、および太陽電池である電力供給部を含む。本発明の他の実施態様において、本発明の表示媒体は、回折構造部、調光素子部、およびペーパー電池である電力供給部を含む。
【００６４】
本発明の一実施態様において、本発明の表示媒体は、回折構造部と、エレクトロクロミック型調光ミラーである調光素子部と、外部電力と接続するための端子である電力供給部とを含む。また、本発明の他の実施態様において、本発明の表示媒体は、回折構造部、エレクトロクロミック型調光ミラーである調光素子部と、アンテナ部である電力供給部を含む。さらに、本発明の他の実施態様において、本発明の表示媒体は、回転構造部と、エレクトロクロミック型調光ミラーである調光素子部と、太陽電池である電力供給部とを含む。本発明の他の実施態様において、本発明の表示媒体は、回折構造部と、エレクトロクロミック型調光ミラーである調光素子部と、ペーパー電池である電力供給部とを含む。
【００６５】
本発明の一実施態様において、本発明の表示媒体は、複数の回折構造部と、複数の調光素子部と、複数の電力供給部とを含む。本発明の他の実施態様において、本発明の表示媒体は、複数の回折構造部と、予めパターン形成された複数の調光素子部と、複数の電力供給部とを含む。また、本発明の他の実施態様において、本発明の表示媒体は、複数の回折構造部と、マトリックス状にパターン形成された複数の調光素子部と、複数の電力供給部とを含む。さらに、本発明の他の実施態様において、本発明の表示媒体は、複数の回折構造部と、マトリックス状にパターン形成された複数の調光素子部と、選択された調光素子部の状態のパターン信号と、パターン信号を受信する外聞信号受信部と、受信した信号を処理する処理チップと、処理チップからの信号により電圧が変化する電力供給部とを含む。
【００６６】
本発明の一の実施態様において、本発明の表示媒体は、回折構造部と、調光素子部と、電力供給部と、接着部材とを含む。本発明の他の実施態様において、回折構造部と、調光素子部と、電力供給部と、接着層とを含む。また、本発明の他の実施態様において、回折構造部と、調光素子部と、電力供給部と、カバー部材とを含む。
【００６７】
本発明の一実施態様において、本発明の表示媒体は、回折構造部と、調光素子部と、電力供給部と、接着部材と、支持体とを含む。本発明の他の実施態様において、本発明の表示媒体は、回折構造部と、調光素子部と、電力供給部と、接着層と、支持体とを含む。また、本発明の他の実施態様において、本発明の表示媒体は、回折構造部と、調光素子部と、電力供給部と、カバー部材と、支持体とを含む。
【００６８】
本発明の一実施態様において、本発明の表示媒体は、回折構造部と、調光素子部と、電力供給部と、隠蔽層とを含む。本発明の他の実施態様において、本発明の表示媒体は、回折構造部と、調光素子部と、アンテナ部である電力供給部と、隠蔽層とを含む。
【００６９】
本発明の一実施態様において、本発明の表示媒体は、回折構造部と、調光素子部と、電力供給部と、印刷層とを含む。本発明の他の実施態様において、本発明の表示媒体は、回折構造部と、調光素子部と、電力供給部と、調光素子部の下層に形成された印刷層とを含む。また、本発明の他の実施態様において、本発明の表示媒体は、回折構造部と、調光素子部と、電力供給部と、回折構造部の上層に形成された印刷層とを含む。さらに本発明の他の実施態様において、本発明の表示媒体は、回折構造部と、調光素子部と、電力供給部と、回折構造部と調光素子部の間に形成された印刷層とを含む。
【００７０】
本発明の一実施態様において、本発明の表示媒体は、回折構造部と、調光素子部と、電力供給部と、印刷層と、接着部材とを含む。本発明の他の実施態様において、本発明の表示媒体は、回折構造部と、調光素子部と、電力供給部と、印刷層と、接着層とを含む。また、本発明の他の実施態様において、本発明の表示媒体は、回折構造部と、調光素子部と、電力供給部と、印刷層と、カバー部材とを含む。さらに、本発明の一実施態様において、本発明の表示媒体は、回折構造部と、調光素子部と、電力供給部と、印刷層と、接着部材と、支持体とを含む。本発明の他の実施態様において、本発明の表示媒体は、回折構造部と、調光素子部と、電力供給部と、印刷層と、接着層と、支持体とを含む。また、本発明の他の実施態様において、本発明の表示媒体は、回折構造部と、調光素子部と、電力供給部と、印刷層と、カバー部材と、支持体とを含む。
【００７１】
本発明の一実施態様において、本発明の表示媒体は、回折構造部と、調光素子部と、電力供給部とを含み、いずれかの層または部分が脆性化されている。本発明の他の実施態様において、本発明の表示媒体は、回折構造部と、調光素子部と、電力供給部とを含み、いずれかの層または部分が物理的に脆性化されている。また、本発明の他の実施態様において、本発明の表示媒体は、回折構造部と、調光素子部と、電力供給部とを含み、いずれかの層または部分が化学的に脆性化されている。さらに、本発明の他の実施態様において、本発明の表示媒体は、回折構造部と、調光素子部と、アンテナ部である電力供給部とを含み、電力供給部が脆性化されている。
【００７２】
本発明の一の実施態様において、本発明の表示媒体は物品に貼付される。本発明の他の実施態様は、該表示媒体が貼付された物品である。
【００７３】
本発明の一実施態様において、本発明は認証および偽造防止に用いることができる。本発明の他の実施態様において、本発明は、装飾に用いることができる。また、本発明の他の実施態様において、本発明は玩具に用いることができる。さらに本発明の他の実施態様において、本発明は学習教材に用いることができる。
【００７４】
［実施例］
以下、本発明および効果について具体的な例を用いて説明するが、実施例は本発明の適用範囲を限定するものではない。
【００７５】
（実施例１）
製造用の支持体として、厚さ２５０μｍのポリエチレンテレフタレート（ＰＥＴ）板を使用した。この支持体の片面に、下記組成物からなるインキをグラビア印刷法にて塗布・乾燥し、膜厚０．５μｍの剥離層を形成した。
【００７６】
「剥離層インキ組成物」
ポリアミドイミド樹脂                                １９．５重量部
ポリエチレンパウダー                                  ０．５重量部
ジメチルアセトアミド                                ３０．０重量部
トルエン                                            ５０．０重量部
【００７７】
次に、前記剥離層上に下記組成物からなるインキをグラビア印刷法にて塗布・乾燥して膜厚１．５μｍの回折構造層を積層した後、予め作製した金魚と朝顔の絵柄（図２Ａ参照）の回折光パターンを発現するためのレリーフ版に熱圧を加えながら該回折構造層に押し当て、回折構造層上に所望の回折構造部１１を形成した。
【００７８】
「回折構造層インキ組成物」
アクリル樹脂                                        １８．０重量部
シランカップリング剤                                  ２．０重量部
メチルエチルケトン                                  ８０．０重量部
【００７９】
次に、回折構造部１１上に、マグネシウムとニッケルの合金をスパッタリング法により、１００ｎｍの膜厚で形成し、調光素子部１２における調光ミラー層を積層した。
【００８０】
次に、前記調光ミラー層の電極となる部分に、下記組成物からなる水溶性マスクインキをグラビア印刷法にて塗布・乾燥して、膜厚５μｍの第１マスク印刷層を形成した後、パラジウムをスパッタリング法により、１００ｎｍの膜厚で形成し、調光素子部１２における触媒層を積層した。
【００８１】
「水溶性マスクインキ組成物」
水溶性無機質塩                                      １３．０重量部
親水性無機フィラー                                    ２．０重量部
イソプロピルアルコール                              １０．０重量部
水                                                  ７５．０重量部
【００８２】
次に、酸化タンタルをスパッタリング法により、１００ｎｍの膜厚で形成し、調光素子部１２における電解質層を積層した。
【００８３】
次に、酸化タングステンをスパッタリング法により、１００ｎｍの膜厚で形成し、調光素子部１２におけるイオン貯蔵層を積層した。
【００８４】
次に、酸化インジウムと酸化錫の混合体（ＩＴＯ）をスパッタリング法により、１００ｎｍの膜厚で形成し、調光素子部１２における導電膜層を積層した。次いで、前記導電膜層の一部に、前記第１マスク印刷層とは異なる部分であり、もう一方の電極となる部分に、前記第１マスク印刷層と同じ組成物を同じ方法で塗布・乾燥して第２マスク印刷層を膜厚５μｍで形成した。
【００８５】
次に、下記組成物からなる白色隠蔽インキをグラビア印刷法にて塗布・乾燥して、膜厚２μｍの隠蔽層５４を積層した。
【００８６】
「白色隠蔽インキ組成物」
インキ用バインダー                                  １０．０重量部
白色顔料                                              ５．０重量部
酸化チタン                                          ２０．０重量部
酢酸エチル                                          ６５．０重量部
【００８７】
次に、水洗浄にて前記第１マスク層と前記第２マスク層を除去し、触媒層および導電膜層の一部をそれぞれ露出させ、電極を作成した。この電極にＩＣチップ２２を接続し、さらにアンテナ２１の端部がＩＣチップ２２と接続されるように、下記組成物からなる印刷アンテナ用インキを、スクリーン印刷法にて所望のアンテナ形状に塗布・乾燥してアンテナ２１を形成した。
【００８８】
「印刷アンテナ用インキ組成物」
銀                                                  ８０．０重量部
ジエチレングリコールモノエチルエーテルアセタート    ２０．０重量部
【００８９】
次に、回折構造部１１ならびにアンテナ２１およびＩＣチップ２２の全面を覆うように、下記組成物からなる接着層インキをグラビア印刷法にて塗布・乾燥して、膜厚５μｍの接着層５１を積層した。ついでクラフト紙（厚さ約１００μｍ）の片面にポリエチレンをラミネートし、その上にシリコン処理を施したセパレータを該接着層に仮粘着させた。その後、セパレータを剥がして任意の物品６０に貼付し、最後に製造用支持体であるＰＥＴ板から剥離して、表示媒体１０を作製した（図１５参照）。
【００９０】
「接着層用インキ組成物」
アクリル粘着剤                                      ３０．０重量部
酢酸エチル                                          ５０．０重量部
トルエン                                            ２０．０重量部
【００９１】
こうして得られた表示媒体１０は、電力供給用の交流磁界発生装置に近づけ、調光素子部１２に＋５Ｖの電圧が印加されると、調光素子部１２全体が鏡面状態となり、回折構造部１１に光が入射すると、ある観察角度において、図３Ａのような朝顔と金魚の画像からなる回折光を観察することができた。
【００９２】
また、調光素子部１２に−５Ｖの電圧が印加すると、鏡面だった調光素子部１２全体が透明状態になって前記回折光画像が消失した。
【００９３】
（実施例２）
製造用の支持体として、厚さ２５０μｍのＰＥＴ板を使用した。この支持体の片面に、下記組成物からなるインキをグラビア印刷法にて塗布・乾燥し、膜厚０．５μｍの剥離層を形成した。
【００９４】
「剥離層インキ組成物」
ポリアミドイミド樹脂                                １９．５重量部
ポリエチレンパウダー                                  ０．５重量部
ジメチルアセトアミド                                ３０．０重量部
トルエン                                            ５０．０重量部
【００９５】
次に、前記剥離層上に下記組成物からなるインキをグラビア印刷法にて塗布・乾燥して膜厚１．５μｍの回折構造層を積層した後、予め作製した金魚と朝顔の絵柄（図３Ａ参照）の回折光パターンを発現するためのレリーフ版に熱圧を加えながら回折構造層に押し当てるエンボス加工を行い、回折構造層上に所望の回折構造部１１を形成した。
【００９６】
「回折構造層インキ組成物」
アクリル樹脂                                        １８．０重量部
シランカップリング剤                                  ２．０重量部
メチルエチルケトン                                  ８０．０重量部
【００９７】
次に、回折構造部１１上に、マグネシウムとニッケルの合金をスパッタリング法により、１００ｎｍの膜厚で形成し、調光素子部１２における調光ミラー層を積層した。
【００９８】
次に、前記調光ミラー層の電極となる部分に、下記組成物からなる水溶性マスクインキをグラビア印刷法にて塗布・乾燥して、膜厚５μｍの第１マスク印刷層を形成した後、パラジウムをスパッタリング法により、１００ｎｍの膜厚で形成し、調光素子部１２における触媒層を積層した。
【００９９】
「水溶性マスクインキ組成物」
水溶性無機質塩                                      １３．０重量部
親水性無機フィラー                                    ２．０重量部
イソプロピルアルコール                              １０．０重量部
水                                                  ７５．０重量部
【０１００】
次に、アルミニウムをスパッタリング法により、１００ｎｍの膜厚で形成し、調光素子部１２におけるバッファ層を積層した。
【０１０１】
次に、酸化タンタルをスパッタリング法により、１００ｎｍの膜厚で形成し、調光素子部１２における固体電解質層を積層した。
【０１０２】
次に、酸化タングステンをスパッタリング法により、１００ｎｍの膜厚で形成し、調光素子複合体２３におけるイオン貯蔵層を積層した。
【０１０３】
次に、ＩＴＯをスパッタリング法により、１００ｎｍの膜厚で積層して導電膜層を形成した。次いで、前記導電膜層の一部に、前記第１マスク印刷層とは異なる部分であり、もう一方の電極となる部分に、前記第１マスク印刷層と同じ組成物を同じ方法で塗布・乾燥して第２マスク印刷層を膜厚５μｍで形成した。
【０１０４】
次に、調光素子部１２上に、下記組成物からなる印刷層インキを、任意の文字や画像、絵柄パターンでグラビア印刷法にて塗布・乾燥して、膜厚１μｍの印刷層５５を形成した。
【０１０５】
「印刷層インキ組成物」
インキ用バインダー                                １０．０重量部
顔料                                              １５．０重量部
メチルエチルケトン                                ３５．０重量部
トルエン                                          ４０．０重量部
【０１０６】
次に、前記印刷層５５上及び前記調光素子部１２上の全面に、下記組成物からなる白色隠蔽インキをグラビア印刷法にて塗布・乾燥して、膜厚２μｍの隠蔽層５４を積層した。
【０１０７】
「白色隠蔽インキ組成物」
インキ用バインダー                                １０．０重量部
白色顔料                                            ５．０重量部
酸化チタン                                        ２０．０重量部
酢酸エチル                                        ６５．０重量部
【０１０８】
次に、水洗浄にて前記第１マスク層と前記第２マスク層を除去し、電極を作成した。この電極にＩＣチップ２２の電極を接続し、さらにアンテナ２１の端部がＩＣチップ２２と接続されるように、下記組成物からなる印刷アンテナ用インキを、スクリーン印刷法にて所望のアンテナ形状に塗布・乾燥してアンテナ２１を形成した。
【０１０９】
「印刷アンテナ用インキ組成物」
銀                                                ８０．０重量部
ジエチレングリコールモノエチルエーテルアセタート  ２０．０重量部
【０１１０】
次に、隠蔽層５４とアンテナ２１よびＩＣチップ２２の全面を覆うように、下記組成物からなる接着層インキをグラビア印刷法にて塗布・乾燥して、膜厚５μｍの接着層５１を積層した。ついでクラフト紙（厚さ約１００μｍ）の片面にポリエチレンをラミネートし、その上にシリコン処理を施したセパレータを該接着層に仮粘着させた。その後、セパレータを剥がして任意の物品６０に貼付し、最後に製造用支持体であるＰＥＴ板から剥離して、表示媒体１０を作製した（図１６参照）。
【０１１１】
「接着用インキ組成物」
アクリル粘着剤                                    ３０．０重量部
酢酸エチル                                        ５０．０重量部
トルエン                                          ２０．０重量部
【０１１２】
こうして得られた表示媒体１０は、電力供給用の交流磁界発生装置に近づけ、調光素子部に＋５Ｖの電圧が印加されると、調光素子部１２全体が鏡面状態となり、回折構造部１１に光が入射すると、ある観察角度において、図３Ａのような朝顔と金魚の画像からなる回折光を観察することができた。
【０１１３】
また、調光ミラー層に−５Ｖの電圧が印加すると、鏡面だった調光素子部１２全体が透明状態になって前記回折光画像が消失しても、アンテナ２１やＩＣチップ２２は隠蔽層５４によって目視で観察されることはなく、調光素子部１２の下層に位置する印刷層５５による模様や文字だけを観察することができた。
【０１１４】
（実施例３）
前記実施例１乃至２では、本発明の回折構造部と調光素子部を備えた表示媒体の例を示したが、本実施例では、前記表示媒体が電圧の印加により、調光素子部が透明、または鏡面になる性質を用いて、外部信号により複数のパターン表示を制御しうることを説明する。
【０１１５】
本実施例では、予め調光素子部がパターン化されており、その調光素子パターンが少なくとも1つ、好ましくは２つ以上からなる。
【０１１６】
ここで、調光素子部が３つのパターンを有する例を図１７に示す。調光素子パターンＡでは太陽柄に、調光素子パターンＢでは月柄に、および調光素子パターンＣではハート柄に、それぞれ調光素子がパターニングされている。上記のパターンは、１個から３個まで、任意の組み合わせで表示が可能である。
【０１１７】
これらのパターンは、外部信号により制御される。予めパターン化された複数の調光素子部１２のパターンを選択し（Ｐ１）、表示媒体１０外部から当該パターンのパターン信号を発信する（Ｐ２）。ついで、該パターン信号を表示媒体１０の外部信号受信部３１が受信して処理チップ３２に送り（Ｐ３）、さらに処理チップ３２が該信号を処理して電力供給部１３から調光素子部１２にかけられる電圧を制御し（Ｐ４）、与えられた電圧に応じて調光素子部１２はパターン状態を変化させることができる（Ｐ５）（図７参照）。調光素子部１２のパターンにより、表示媒体１０に異なる画像が表示される。
【０１１８】
図１７の３つのパターンの信号について、下記に例を示す。
【０１１９】
【表１】
2016117336.tif 000003
【０１２０】
前記Ａ〜ＡＢＣの信号を選択した場合の、絵柄の見え方の例を図１８に示す。
（信号Ａ）パターンＡ上の顔画像が見える
（信号Ｂ）パターンＢ上の顔画像が見える
（信号Ｃ）パターンＣ上の顔画像が見える。
（信号ＡＢ）パターンＡとＢの顔画像が同時に見える
（信号ＡＣ）パターンＡとＣの顔画像が同時に見える
（信号ＢＣ）パターンＢとＣの顔画像が同時に見える
（信号ＡＢＣ）パターンＡ、Ｂ、Ｃの顔画像が同時に見える
【０１２１】
このように、本発明の表示媒体は、記録されている光学的画像情報の表示を、同一視野からの観察中でも任意に変更することができ、その結果、表示する画像を任意に変更することが可能となった。
【符号の説明】
【０１２２】
１０          表示媒体
１１          回折構造部
１２          調光素子部
１２ａ        透明状態の調光素子部
１２ｂ        鏡面状態の調光素子部
１３          電力供給部
１４          外部電力
２１          アンテナ
２２          ＩＣチップ
３１          外部信号受信部
３２          処理チップ
４１          上層の電極
４２          下層の電極
５１          接着層
５２          支持体
５３          カバー部材
５４          隠蔽層
５５          印刷層
６０          物品
【図１】
2016117336.tif 000004
【図２Ａ】
2016117336.tif 000005
【図２Ｂ】
2016117336.tif 000006
【図３Ａ】
2016117336.tif 000007
【図３Ｂ】
2016117336.tif 000008
【図４Ａ】
2016117336.tif 000009
【図４Ｂ】
2016117336.tif 000010
【図５】
2016117336.tif 000011
【図６】
2016117336.tif 000012
【図７】
2016117336.tif 000013
【図８Ａ】
2016117336.tif 000014
【図８Ｂ】
2016117336.tif 000015
【図９】
2016117336.tif 000016
【図１０】
2016117336.tif 000017
【図１１】
2016117336.tif 000018
【図１２Ａ】
2016117336.tif 000019
【図１２Ｂ】
2016117336.tif 000020
【図１２Ｃ】
2016117336.tif 000021
【図１３Ａ】
2016117336.tif 000022
【図１３Ｂ】
2016117336.tif 000023
【図１３Ｃ】
2016117336.tif 000024
【図１４】
2016117336.tif 000025
【図１５】
2016117336.tif 000026
【図１６】
2016117336.tif 000027
【図１７】
2016117336.tif 000028
【図１８】
2016117336.tif 000029
【国際調査報告】
2016117336.tif 000030
2016117336.tif 000031
2016117336.tif 000032
2016117336.tif 000033